(57)【要約】【課題】フィルターと吸込みグリルを清掃する手間を省くことのできる空気清浄装置を提供する。【解決手段】空気入り口１１２から流入する空気中の塵埃を捕集する集塵フィルター１０３と、前記集塵フィルター１０３に捕集された塵埃を除去する回転ブラシ１０５ａ、１０５ｂ、吸引ノズル１０６ａ、１０６ｂとを備え、集塵フィルター１０３は、室内側に露出すると共に前記空気入り口１１２のカバーを兼ねるようにしたもので、集塵フィルター１０３を回転ブラシ１０５ａ、１０５ｂ、吸引ノズル１０６ａ、１０６ｂで自動清掃することで、集塵フィルター１０３に付着した塵埃を自動的に除去するのに加え、空気入り口１１２に吸込みグリルなどが無いので、清掃の省力化を図ることができる。【選択図】図１
2006153289.tif 000002
【特許請求の範囲】
【請求項１】
空気入り口から流入する空気中の塵埃を捕集する塵埃捕集手段と、前記塵埃捕集手段に捕集された塵埃を除去する清掃手段とを備え、前記塵埃捕集手段は、室内側に露出すると共に前記空気入り口のカバーを兼ねるようにしたことを特徴とする空気清浄装置。
【請求項２】
塵埃捕集手段を駆動する駆動手段を備えたことを特徴とする請求項１に記載の空気清浄装置。
【請求項３】
塵埃捕集手段をベルト状に形成し、前記塵埃捕集手段の内側空間に空気中の塵埃を帯電させる帯電手段を備えたことを特徴とする請求項１又は２に記載の空気清浄装置。
【請求項４】
塵埃捕集手段に光触媒を施したことを特徴とする請求項１〜３のいずれか１項に記載の空気清浄装置。
【請求項５】
光触媒を可視光反応型の光触媒とした請求項４に記載の空気清浄装置。
【請求項６】
清掃手段の手前に紫外線を発する光源を配置することを特徴とした請求項４に記載の空気清浄装置。
【請求項７】
光源を、塵埃捕集手段の外側あるいは内側に配置し、前記塵埃捕集手段の前記光源を設けた側と反対側に前記光源からの紫外線を反射させる反射鏡を配置したことを特徴とする請求項６に記載の空気清浄装置。
【請求項８】
清掃手段を、塵埃を掃き取るための掃き取り手段と、掃き取られた前記塵埃を吸引する吸引手段とで構成したことを特徴とする請求項１〜７のいずれか１項に記載の空気清浄装置。
【請求項９】
掃き取り手段を、塵埃捕集手段の外側を掃き取るものと内側を掃き取るものと複数設けたことを特徴とする請求項８に記載の空気清浄装置。
【請求項１０】
掃き取り手段を、回転ブラシで形成したことを特徴とする請求項８又は９に記載の空気清浄装置。
【請求項１１】
吸引手段を吸引ノズルで形成し、前記吸引ノズルの先端を、塵埃捕集手段と回転ブラシの離れ際の位置に配置したことを特徴とする請求項１０に記載の空気清浄装置。
【請求項１２】
掃き取り手段に光触媒を施したことを特徴とする請求項８〜１１のいずれか１項に記載の空気清浄装置。
【請求項１３】
光源が波長２５４ｎｍ近辺の紫外線を含むことを特徴とする請求項６〜１２のいずれか１項に記載の空気清浄装置。
【請求項１４】
清掃手段と、光源および反射鏡とを、塵埃捕集手段の一部を挟み込むように構成された同一ケーシング内に配置することを特徴とする請求項７〜１３のいずれか１項に記載の空気清浄装置。
【請求項１５】
吸引手段により吸引した塵埃を屋外へ排出することを特徴とした８〜１４のいずれか１項に記載の空気清浄装置。
【発明の詳細な説明】
【技術分野】
【０００１】
本発明は、空気清浄装置に関するもので、特に、フィルターと吸込みグリルの清掃に関するものである。
【背景技術】
【０００２】
従来の空気調和機に応用された空気清浄装置の例として、図４、図５に示されるようなものがあった（例えば、特許文献１参照）。
【０００３】
上記特許文献１に記載された従来技術は、天井面あるいは天井裏に設置される空気調和機に、バキュームクリーナを備えた自動空気清浄機を装備したもので、図４は、同空気調和機の断面図、図５は、同自動空気清浄機の構成を示す斜視図である。
【０００４】
図４、図５において、４０１は、空気調和機４０６の空気調和機本体、４０２は天井、４０３は空気熱交換器、４０４は送風機、４０４ａは空気吸入口、４０５は自動空気清浄機、４０７はエンドレスフィルター、４０８は支持ローラー、４０９はバキュームクリーナ、４１０は集塵紙パック、４１０ａは塵埃吸入口、４１１は駆動ローラー、４１２は駆動モータ、４１３はブラシ、４１４はバキュームクリーナの排気口、４１５は化粧パネル、４１５ａは吸入口、４１５ｂは吐出口、４１６は吸込パネル、４１７は紙パック収納カバーである。
【０００５】
そして、この空気調和機の清掃動作は以下のように行う。
【０００６】
まず、空気調和機４０６の初期運転開始時に、駆動モータ４１２を回転させ、駆動ローラー４１１によってエンドレスフィルター４０７を回転させる。エンドレスフィルター４０７はブラシ４１３にて塵を落し乍ら所定の長さ分だけ移動し、ブラシ４１３によって落とされた清掃機筐体４０５ａ内の塵及びエンドレスフィルター４０７の塵は、側部のバキユームクリーナ４０９位置にて塵埃吸入口４１０ａより集塵紙パック４１０に吸引流入する。バキユームクリーナ４０９作動時の吸引風の向きは、空調風向と逆に送風機４０４側よりエンドレスフィルター４０７側へ流し、清浄機筐体４０５ａ内からバキユームクリーナ４０９の集塵紙パック４１０を経て排気口４１４より排気する逆流れとし、塵を捕集する。
【０００７】
集塵紙パック４１０の交換作業は、化粧パネル４１５の吸込みパネル４１６を開き、紙パック収納カバー４１７を開けて集塵紙パック４１０を取り出し、新しいものと交換する。
【０００８】
ここで、この空気調和機においては、吸込み空気は図４に示すように、吸込みパネル４１６の周囲の吸入口４１５ａより吸いこまれる。
【０００９】
また、壁掛型に適用された空気浄化装置の従来例としては図６に示すようなものがある（例えば、特許文献２参照）。
【００１０】
図６において、６０１は吸込口、６０２は吹出口、６０３は本体、６０４は送風ファン、６０５は環状フィルター、６０６は回転ローラー、６０７は熱交換器、６０８は紫外線ランプ、６０９は振動板、６１０は超音波振動子、６１１は受け皿、６１４はイオン化線である。
【００１１】
回転ローラー６０６は、環状フィルター６０５を循環駆動させるものであり、環状フィルター６０５は導電性を有し、紫外線ランプ６０８の紫外線により臭気成分を分解する光触媒が配設されている。そして、環状フィルター６０５を陽極、イオン化線６１４を陰極として空気をイオン化させ、環状フィルター６０５に塵が効率よく集塵される。付着した塵は、振動板６０９、超音波振動子６１０によって受け皿６１１にふるい落される。
【特許文献１】特開昭６４−２３０３６号公報
【特許文献２】特許第３２６３５９９号公報
【発明の開示】
【発明が解決しようとする課題】
【００１２】
しかしながら、図４、５に示されるような従来の空気浄化装置においては、吸入口４１５ａは、吸込みパネル４１６の周囲に設けられており、吸入口４１５ａの内壁や吸込みパネル４１６の端部に塵や汚れが付着するという課題があった。
【００１３】
同様に、図６に示された従来の空気浄化装置においても、吸込口６０１のスリット部に塵や汚れが付着するという課題があった。
【００１４】
本発明は、前記従来の課題を解決するもので、フィルター等の塵埃捕集手段に付着した塵埃を自動で清掃し、等の塵埃捕集手段の清掃の手間を軽減するとともに、吸込みグリルの清掃の手間も軽減することのできる空気清浄装置を提供することを目的とする。
【課題を解決するための手段】
【００１５】
前記従来の課題を解決するために、本発明の空気清浄装置は、空気入り口から流入する空気中の塵埃を捕集する塵埃捕集手段と、前記塵埃捕集手段に捕集された塵埃を除去する清掃手段とを備え、前記塵埃捕集手段は、室内側に露出すると共に前記空気入り口のカバーを兼ねるようにしたもので、塵埃捕集手段を清掃手段で自動清掃することで、塵埃捕集手段に付着した塵埃を自動的に除去するのに加え、空気入り口に吸込みグリルなどが無いので、清掃の省力化を図ることができる。
【発明の効果】
【００１６】
本発明の空気清浄装置は、フィルター等の塵埃捕集手段に付着した塵埃を自動で除去すると共に、吸込みグリル等が不要なので、清掃の省力化を図ることができる。
【発明を実施するための最良の形態】
【００１７】
第１の発明は、空気入り口から流入する空気中の塵埃を捕集する塵埃捕集手段と、前記塵埃捕集手段に捕集された塵埃を除去する清掃手段とを備え、前記塵埃捕集手段は、室内側に露出すると共に前記空気入り口のカバーを兼ねるようにしたもので、塵埃捕集手段を清掃手段で自動清掃することで、塵埃捕集手段に付着した塵埃を自動的に除去するのに加え、空気入り口に吸込みグリルなどが無いので、清掃の省力化を図ることができる。
【００１８】
第２の発明は、特に、第１の発明の塵埃捕集手段を駆動する駆動手段を備えたもので、清掃手段を移動させることなく塵埃捕集手段の清掃ができるので、振動の発生などを抑え簡単な構成で安定した塵埃捕集手段の清掃を行うことができる。
【００１９】
第３の発明は、特に、第１又は第２の発明の塵埃捕集手段をベルト状に形成し、前記塵埃捕集手段の内側空間に空気中の塵埃を帯電させる帯電手段を備えたもので、塵埃捕集手段の集塵効率を高めるとともに帯電手段自身に塵埃が付着するのを防ぐことができる。
【００２０】
第４の発明は、特に、第１〜３のいずれか一つの発明の塵埃捕集手段に光触媒を施したもので、集塵を行うとともに脱臭や、塵埃捕集手段に付着した油分の分解を行うことができる。
【００２１】
第５の発明は、特に、第４の発明の光触媒を可視光反応型の光触媒としたもので、室内の光を利用して手間をかけずに脱臭を行うことができる。
【００２２】
第６の発明は、特に、第４の発明の清掃手段の手前に紫外線を発する光源を配置するもので、脱臭性能を向上させるとともに、油分を分解して清掃性を向上させることができる。
【００２３】
第７の発明は、特に、第６の発明の光源を、塵埃捕集手段の外側あるいは内側に配置し、前記塵埃捕集手段の前記光源を設けた側と反対側に前記光源からの紫外線を反射させる反射鏡を配置したもので、一つの光源で塵埃捕集手段の内外両側に紫外線を照射するとともに、紫外線を有効に利用して、脱臭や油分の分解を効率よく行うことができる。
【００２４】
第８の発明は、特に、第１〜７のいずれか一つの発明の清掃手段を、塵埃を掃き取るための掃き取り手段と、掃き取られた前記塵埃を吸引する吸引手段とで構成したもので、塵埃捕集手段にからみついた繊維状の塵やこびり付いた油分を機械的にはがし除去することができ、清掃性能を向上させることができる。
【００２５】
第９の発明は、特に、第８の発明の掃き取り手段を、塵埃捕集手段の外側を掃き取るものと内側を掃き取るものと複数設けたもので、内外両側の塵や油分を機械的にはがし、清掃性能を向上させることができる。
【００２６】
第１０の発明は、特に、第８又は第９の発明の掃き取り手段を、回転ブラシで形成したもので、回転ブラシを構成する多数の毛で繰り返し掃き取り動作を行うことで、清掃性能を向上させることができる。また、塵埃捕集手段を移動させながら回転ブラシを塵埃捕集手段の移動方向と反対方向に回転させれば、掃き取り速度が上り、清掃性能が一層向上する。
【００２７】
第１１の発明は、特に、第１０の発明の吸引手段を吸引ノズルで形成し、前記吸引ノズルの先端を、塵埃捕集手段と回転ブラシの離れ際の位置に配置したもので、掃き取った塵の飛散を防ぐことで、空気清浄装置内の２次汚れを防ぐことができる。
【００２８】
第１２の発明は、特に、第８〜１１のいずれか一つの発明の掃き取り手段に光触媒を施したもので、塵埃捕集手段上では分解しきれずに掃き取り手段に付着した油分が光源からの紫外線で分解し、清掃性能の低下を防止することができる。
【００２９】
第１３の発明は、特に、第６〜１２のいずれか一つの発明の光源が波長２５４ｎｍ近辺の紫外線を含むようにしたもので、光触媒が活性化することに加え、直接菌に作用して除菌を行うことができる。
【００３０】
第１４の発明は、特に、第７〜１３のいずれか一つの発明の清掃手段と、光源および反射鏡とを、塵埃捕集手段の一部を挟み込むように構成された同一ケーシング内に配置するもので、塵の飛散を防ぐとともに、空気清浄装置内への紫外線の漏れを防いで空気清浄装置内の樹脂部品等の劣化を抑えて空気清浄装置の信頼性を向上させることができる。
【００３１】
第１５の発明は、特に、第８〜１４のいずれか一つの発明の吸引手段により吸引した塵埃を屋外へ排出するもので、清掃した塵を捨てる手間を省くとともに、臭気成分を屋外に排出することができる。
【００３２】
以下、本発明の実施の形態について、図面を参照しながら説明する。なお、この実施の形態によって本発明が限定されるものではない。
【００３３】
（実施の形態１）
図１は、本発明における第１の実施の形態である空気清浄装置の構成を示す斜視図である。
【００３４】
図１において、本実施の形態における空気清浄装置は、本体カバー１０１、化粧パネル１０２、塵埃捕集手段にあたる集塵フィルター１０３と、後述の清掃手段が納められた清掃ユニットカバー１０４と、清掃した塵埃を排出する排出ダクト１０８ａ、１０８ｂと、吸引ファン１０９と、駆動手段にあたる駆動ローラー１１０と、支持ローラー１１１と、帯電手段にあたるイオナイザー１１４で構成されている。化粧パネル１０２には空気入り口１１２が、本体カバー１０１には空気出口１１３が設けられている。そして、集塵フィルター１０３と空気入り口１１２は近接して配置されており、室内からみたとき集塵フィルター１０３が見える構造となっている。
【００３５】
図２は、清掃ユニットカバー１０４内の構成を示す図で、清掃ユニットカバー１０４の内部には、清掃手段の掃き取り手段である回転ブラシ１０５ａ、１０５ｂと、吸引手段の吸引ノズル１０６ａ、１０６ｂと、光源である紫外線ランプ１０７とが配置されている。清掃ユニットカバー１０４の内壁には、紫外線ランプ１０７からの光を反射する反射層１２１が設けられている。
【００３６】
図３は図２のＡ−Ａ’断面図である。
【００３７】
集塵フィルター１０３は、メッシュの素材をベルト状に成形されたフィルター基材の表面に光触媒を被覆して構成されている。フィルター基材としては、樹脂材料や金属材料がある。樹脂材料を用いる場合には光触媒を練り込んで成形したり、コーティングしたりすれば容易に加工することができるが、樹脂によっては光触媒により分解されてしまうことがあるので、注意が必要である。金属を用いる場合には、バインダーに光触媒を混ぜコーティングするのが容易である。ここで、帯電した塵埃を捕獲する場合、フィルター基材を接地することで捕獲しやすくすることができる。
【００３８】
本実施の形態では、フィルター基材にステンレスのネットを使用し、図３に示すようにベルト端部に支持導電部１３２を設け、ステンレスのネットを支持し、駆動ローラー１１０を介して接地する。従って、光触媒を支持導電部１３２を避けてコーティングする。
【００３９】
光触媒としては、代表的な材料である酸化チタンを用いる。酸化チタンは光エネルギーを化学エネルギーに変換する光触媒作用を有しており、エネルギーギャップが約３ｅＶで、４００ｎｍ以下の波長の光を照射すると電子と正孔を生成する。正孔は酸化力を持っており、油分や煙草の脂、臭い成分などを分解する。
【００４０】
酸化チタンには、その構造の違いなどから、紫外線域から可視域の光に反応する種類のものが存在する。この、可視域の光にも反応する酸化チタンを使用すれば、室内の光によっても臭気成分などの分解ができ、効果が大きい。
【００４１】
イオナイザー１１４は、イオンを発生させ塵埃を帯電させるもので、導電性の細毛を束ねて電極（図示せず）としており、電源１１５により電圧が印可されている。
【００４２】
そして、本実施の形態における空気清浄装置は、次に説明するように動作する。
【００４３】
図１の吸い込み空気１１６は、空気清浄装置を通過する過程で、塵埃を除去されるとともに脱臭された後、吹き出し空気１１７となって排出される。図１においては、空気清浄装置中に送風手段はなく、例えばダクト式の空調システムの送風経路中に挿入するなどして使用されるが、送風手段を加えて空気清浄機として独立して構成することも可能である。
【００４４】
集塵フィルター１０３は、回転方向１２０の方向に駆動する駆動ローラー１１０と支持ローラー１１１によって、駆動方向１１８の向きに所定の速度で駆動される。
【００４５】
まず、吸い込み空気１１６は、集塵フィルター１０３の支持ローラー１１１で折り返してきた部分に達し、集塵フィルター１０３のメッシュの開口よりも大きな塵埃と、メッシュの開口よりも小さいが電気的に吸い寄せられた塵埃が除去される。次に、吸い込み空気はイオナイザー１１４に達し、イオナイザー１１４からの放電と電界とにより、除去されずに残った塵埃が負に帯電される。その後、集塵フィルター１０３の清掃を終えたばかりの部分に達し、電気的な力により残った塵埃の大半が除去される。
【００４６】
集塵フィルター１０３に付着した塵埃は、清掃ユニットカバー１０４内において除去され、吸引ファン１０９により排出ダクト１０８ａ、１０８ｂを通って、排気１１９とともに屋外に排出される。
【００４７】
そして、図２に示すように、集塵フィルター１０３は駆動方向１２２のように清掃ユニットカバー１０４内に突入し、紫外線ランプ１０７の紫外線１２５が集塵フィルター１０３の内外両面に照射される。これにより、集塵フィルター１０３に付着した臭気成分と油分が分解される。
【００４８】
次に、吸引ノズル１０６ａ、１０６ｂによって集塵フィルター１０３に付着した塵埃が吸引され、取りきれなかった塵埃は回転方向１２３に回転する回転ブラシ１０５ａ、回転方向１２４に回転する回転ブラシ１０５ｂによって掃き取られ、回転ブラシ１０５ａ、１０５ｂの回転方向にある吸引ノズル１０６ａ、１０６ｂによって吸引される。
【００４９】
ここで、回転ブラシ１０５ａ、１０５ｂに光触媒を塗布しておけば、油分が分解しきれずに残った場合についても、回転ブラシ１０５ａ、１０５ｂで油分を掃き取り、紫外線ランプ１０７の紫外線１２５の直接光あるいは反射光を受けて分解することができる。
【００５０】
また、紫外線ランプ１０７に波長２５４ｎｍの紫外線を出す特性のものを用いれば、光触媒の効果だけではなく、菌などを直接殺菌することができ、集塵フィルター１０３と、回転ブラシ１０５ａ、１０５ｂなど清掃ユニットカバー１０４内部を除菌することができる。
【００５１】
図３に示すように、集塵フィルター１０３の外側には、主にメッシュよりも大きな塵１２６が付着しており、内側にはメッシュよりも小さな塵１２８が付着している。そして、塵１２６は矢印１２７のように吸引ノズル１０６ａから、塵１２８は矢印１２９のように吸引ノズル１０６ａからそれぞれ吸引され、吸引空気１３０と一緒に排気１３１として排気される。
【００５２】
以上説明したように、本実施の形態によれば、集塵フィルター１０３が化粧パネル１０２の空気入り口１１２に近接して配置され、室内から見える構造とされているので、集塵フィルター１０３を清掃ユニットカバー１０４内で清掃することにより、集塵フィルター１０３を清掃する手間に加え空気入り口１１２を清掃する手間も省くことができる。
【００５３】
また、集塵フィルター１０３をベルト形状とし、駆動ローラー１１０と支持ローラー１１１によって駆動して清掃する構造としたので、清掃ユニットカバー１０４内に納められた回転ブラシ１０５ａ、１０５ｂや吸引ノズル１０６ａ、１０６ｂなどの清掃手段を動かす必要がなく、振動の発生などを抑え簡単な構成で安定した清掃を行うことができる。
【００５４】
また、集塵フィルター１０３の内側にイオナイザー１１４を設け塵埃を帯電させることにより、イオナイザー１１４の上流側で大きな塵を機械的に捕らえてイオナイザー１１４自身の汚れを抑え、下流側で小さな塵を電気的に捕らえるので、集塵効率を高めることができる。
【００５５】
また、集塵フィルター１０３の表面に光触媒を用いているので、集塵を行うとともに脱臭や、集塵フィルター１０３に付着した油分の分解を行うことができる。
【００５６】
また、可視光反応型の光触媒を用いることで、集塵フィルター１０３の化粧パネル１０２側に面する部分で、室内の光を利用して、手間をかけずに脱臭を行うことができる。
【００５７】
また、回転ブラシ１０５ａ、１０５ｂや吸引ノズル１０６ａ、１０６ｂなどの清掃手段の手前に、紫外線ランプ１０７を配置したことで、光触媒の活性化を促し脱臭性能を向上させるとともに、油分を分解して清掃手段の清掃性を向上させることができる。
【００５８】
また、清掃ユニットカバー１０４の内面に反射層１２１を設けたことで、集塵フィルター１０３の内外両面に紫外線ランプ１０７の紫外線を照射するとともに紫外線の利用効率を上げ、脱臭や油分の分解を効率よく行うことができる。
【００５９】
また、清掃手段を掃き取り手段の回転ブラシ１０５ａ、１０５ｂと、吸引ノズル１０６ａ、１０６ｂとから構成し、集塵フィルター１０３にからみついた繊維状の塵やこびり付いた油分を機械的にはがし除去することで清掃性能を向上させることができる。
【００６０】
また、掃き取り手段を集塵フィルター１０３の外側を掃き取る回転ブラシ１０５ａ、内側を掃き取る回転ブラシ１０５ｂと複数設けたことで、集塵フィルター１０３の両面を確実に掃き取り清掃性能を向上させることができる。
【００６１】
また、集塵フィルター１０３の移動方向と反対方向に回転ブラシ１０５ａ、１０５ｂを回転させる事により、掃き取り速度が上げるとともに、何本もの毛で繰り返し掃き取り動作を行うことで、清掃性能を向上させることができる。
【００６２】
また、吸引ノズル１０６ａ、１０６ｂを回転ブラシ１０５ａ、１０５ｂの手前の集塵フィルター１０３から毛が離れる際をねらって配置し、掃き取った塵の飛散を防ぐことで、空気清浄装置内の２次汚れを防ぐことができる。
【００６３】
また、回転ブラシ１０５ａ、１０５ｂに光触媒を用い、紫外線ランプ１０７の紫外線を照射することで、集塵フィルター１０３上で分解しきれず回転ブラシ１０５ａ、１０５ｂに付着した油分を分解し、清掃性能の低下を防止することができる。
【００６４】
また、紫外線ランプ１０７を波長２５４ｎｍ付近の紫外線を含む特性とすることで、光触媒を活性化することに加え、直接菌に作用して除菌を行うことができる。
【００６５】
また、清掃ユニットカバー１０４の内壁に反射層１２１を設けるとともに、回転ブラシ１０５ａ、１０５ｂ、吸引ノズル１０６ａ、１０６ｂを清掃ユニットカバー１０４内に一つにまとめた構造とすることで、塵の飛散を防ぐとともに、空気清浄装置内への紫外線の漏れを防いで空気清浄装置内の樹脂部品等の劣化を抑えて空気清浄装置の信頼性を向上させることができる。
【００６６】
また、本発明の空気清浄装置は、吸引ファン１０９で吸引した塵埃を空気と共に屋外へ排出することで、清掃した塵埃はもちろん吸込んだ臭気成分や触媒により分解されて生じた二酸化炭素やその他のガスを排出して清掃の手間を省き、室内の空気を清浄に保つことができる。
【産業上の利用可能性】
【００６７】
以上のように、本発明にかかる空気清浄装置は、フィルター等の塵埃捕集手段に付着した塵埃を自動で除去すると共に、吸込みグリル等が不要なので、清掃の省力化を図ることができ、塵埃捕集手段を備えた、空気調和機、空気清浄機、換気装置などの各種機器に適用できる。
【図面の簡単な説明】
【００６８】
【図１】本発明の実施の形態１における空気清浄装置の構成を示す斜視図
【図２】同空気清浄装置の清掃ユニットカバー内の構成を示す部分断面図
【図３】図２のＡ−Ａ’断面図
【図４】従来の空気清浄機を用いた空気調和機の断面図
【図５】同空気清浄機の構成を示す斜視図
【図６】従来の他の例を示す空気清浄装置を用いた空気調和機の断面図
【符号の説明】
【００６９】
１０１  本体カバー
１０２  化粧カバー
１０３  集塵フィルター（塵埃捕集手段）
１０４  清掃ユニットカバー
１０５ａ、１０５ｂ  回転ブラシ（掃き取り手段）
１０６ａ、１０６ｂ  吸引ノズル（吸引手段）
１０７  紫外線ランプ（光源）
１０８ａ、１０８ｂ  排出ダクト
１０９  吸引ファン
１１０  駆動ローラー
１１１  支持ローラー（駆動手段）
１１２  空気入り口
１１３  空気出口
１１４  イオナイザー（帯電手段）
１２１  反射層
【図１】
2006153289.tif 000003
【図２】
2006153289.tif 000004
【図３】
2006153289.tif 000005
【図４】
2006153289.tif 000006
【図５】
2006153289.tif 000007
【図６】
2006153289.tif 000008